(57)【要約】【課題】視聴者が好むであろう番組を簡単に選択できるようにする。【解決手段】受信信号処理部２１-1〜２１-nは、映像信号ＤＶ-1〜ＤＶ-nと音声信号ＤＡ-1〜ＤＡ-nと番組情報を有した信号ＤＣd-1〜ＤＣc-nを得る。盛り上がり判定部２３は、映像信号ＤＶ-1〜ＤＶ-nや音声信号ＤＡ-1〜ＤＡ-nに基づき番組の盛り上がりを判定して判定信号ＥＤ-1〜ＥＤ-nを生成する。制御部３０は、番組情報を利用して嗜好性評価を行い、嗜好性評価と判定信号に基づき、受信信号処理部２１-1〜２１-nで受信された番組の順位付けを行い、ユーザインタフェース部３１でチャネル切り替え操作が行われたときは、順位付けの順序で番組信号を信号選択部２４で選択させる。【選択図】        図１
2007325117.tif 000002
【特許請求の範囲】
【請求項１】
受信信号を処理して番組信号と番組情報を得る複数の受信信号処理部と、
前記複数の受信信号処理部で得た番組信号に基づき、番組の盛り上がり番組信号毎に判定する盛り上がり判定部と、
チャネル切り替え操作の操作信号を生成するユーザインタフェース部と、
前記複数の受信信号処理部によって得られた番組信号から番組信号を選択して出力する信号選択部と、
前記番組情報と前記盛り上がり判定結果と前記操作信号に基づき、前記信号選択部の動作を制御する制御部を有し、
前記制御部では、前記番組情報を利用して嗜好性評価を行い、該嗜好性評価の評価結果と前記盛り上がり判定結果に基づいて、前記複数の受信信号処理部で得られる番組信号の順位付けを行い、前記チャネル切り替え操作の操作信号が供給されたときは、前記チャネル切り替え操作毎に、前記複数の番組信号から前記順位付けの順序で番組信号を前記信号選択部で選択させる
ことを特徴とする受信装置。
【請求項２】
前記受信信号処理部毎に設けられて前記番組信号に基づく映像のキャプチャ処理を行うキャプチャ処理部と、
前記キャプチャ処理部でキャプチャされた映像を記憶するキャプチャメモリと、
前記信号選択部で選択された番組信号に基づく映像と、前記キャプチャメモリに記憶された映像を合成する合成部を備え、
前記制御部は、前記信号選択部で選択する番組信号を得る前記受信信号処理部に対して設けられている前記キャプチャ処理部でキャプチャされた映像を、前記キャプチャメモリから前記合成部に供給させる
ことを特徴とする請求項１記載の受信装置。
【請求項３】
前記盛り上がり判定部は、前記番組信号の信号レベルや前記番組信号の周波数成分に基づいて、前記番組の盛り上がりを判定する
ことを特徴とする請求項１記載の受信装置。
【請求項４】
受信信号を処理して番組信号と番組情報を得る受信信号処理ステップと、
前記受信信号処理ステップで得た複数の番組信号に基づき番組の盛り上がりを番組信号毎に判定する盛り上がり判定ステップと、
前記番組情報を利用して嗜好性評価を行い、該嗜好性評価と前記盛り上がり判定結果に基づき前記複数の番組信号の順位付けを行い、前記チャネル切り替え操作が行われたときは、前記チャネル切り替え操作毎に、前記複数の番組信号から前記順位付けの順序で番組信号を選択して出力する選択処理ステップを有する
ことを特徴とする受信方法。
【発明の詳細な説明】
【技術分野】
【０００１】
この発明は受信装置と受信方法に関する。詳しくは、複数の番組信号に基づき、番組の盛り上がりを番組信号毎に判定して、この盛り上がり判定と番組情報を利用した嗜好性評価に基づき、複数の番組信号に対する順位付けを行い、チャネル切り替え操作が行われたときには、チャネル切り替え操作毎に、複数の番組信号から順位付けの順序で番組信号を選択して出力するものである。
【背景技術】
【０００２】
テレビジョン放送の番組内容を把握する代表的な方法として電子番組表が挙げられる。しかし、電子番組表は文字を中心とした情報であり、テレビの解像度の制約から多くのチャンネル情報を一度に提示することは難しく、ユーザの目的とするチャンネルを簡単に選択できるとは言えない。
【０００３】
この問題を解決するために、特許文献１では、ユーザのチャンネル視聴状況から、ユーザの好むチャンネルを判定し、優先して提示することでこの問題を解決しようとしている。
【０００４】
【特許文献１】特開平９−８３８９１号公報
【発明の開示】
【発明が解決しようとする課題】
【０００５】
ところで、視聴者は、視聴している番組に興味がなくなったとき、あるいはコマーシャルに切り替わったとき、他のチャネルでどのような番組が放送されているか確認する等の目的でチャネル切り替え操作を行う場合がある。このようなチャネル切り替え操作は、所謂「ザッピング」と呼ばれている。このようなザッピングでは、受信装置やリモートコントロール装置に設けられているチャネルアップ／ダウンキーを操作したり、所望の数字キーを操作することでチャネル切り替えが行われている。ここで、例えば視聴しているチャネルが「Ａチャネル」であって、「Ａチャネル」よりも低い「（Ａ−１）チャネル」で興味のある番組が放送あるいは配信（以下単に「放送」という）されているとき、チャネルアップ操作が行われると、興味のある番組が選局されるまでに時間を要してしまう。また、数字キーを操作してチャネル切り替えを行ったときには、興味のある番組が選局されない場合もある。さらに、興味のある番組が選局されても、選局時に興味のあるシーンが表示されていないと、引き続きチャネル切り替え操作を行ってしまい、興味のある番組を見逃してしまうおそれもある。
【０００６】
そこで、この発明では、視聴者が好むであろう番組を簡単に選択できるようにした受信装置と受信方法を提供するものである。
【課題を解決するための手段】
【０００７】
この発明の概念は、受信信号を処理して番組信号と番組情報を得る複数の受信信号処理部と、複数の受信信号処理部で得た番組信号に基づき、番組の盛り上がり番組信号毎に判定する盛り上がり判定部と、チャネル切り替え操作の操作信号を生成するユーザインタフェース部と、複数の受信信号処理部によって得られた番組信号から番組信号を選択して出力する信号選択部と、番組情報と盛り上がり判定結果と操作信号に基づき、信号選択部の動作を制御する制御部を有し、制御部では、番組情報を利用して嗜好性評価を行い、該嗜好性評価と盛り上がり判定結果に基づき複数の受信信号処理部で得られる番組信号の順位付けを行い、チャネル切り替え操作の操作信号が供給されたときは、チャネル切り替え操作毎に、複数の番組信号から順位付けの順序で番組信号を信号選択部で選択させる受信装置にある。また、受信信号を処理して番組信号と番組情報を得る受信信号処理ステップと、受信信号処理ステップで得た複数の番組信号に基づき番組の盛り上がりを番組信号毎に判定する盛り上がり判定ステップと、番組情報を利用して嗜好性評価を行い、該嗜好性評価と盛り上がり判定結果に基づき複数の番組信号の順位付けを行い、チャネル切り替え操作が行われたときは、チャネル切り替え操作毎に、複数の番組信号から順位付けの順序で番組信号を選択して出力する選択処理ステップを有する受信方法にある。
【０００８】
この発明においては、番組情報を利用して視聴可能な各番組に対する嗜好性評価が行われる。例えば番組情報で示された番組のジャンルやキーワード等と視聴履歴に基づき、番組毎に視聴者の好みの程度の評価が行われる。また、各番組の番組信号、例えば番組の輝度信号や音声信号の信号レベルや音声信号の周波数成分に基づいて、盛り上がり状態の判定が行われる。この嗜好性評価の評価結果と盛り上がりの判定結果に基づいて、各番組対する順位付けが行われて、チャネル切り替え操作が行われたときは、嗜好性が高く盛り上がりを生じている番組が優先して選択される。また、各番組信号に基づく映像がキャプチャされてキャプチャメモリに記憶される。ここで、番組信号の選択が行われたときは、この選択された番組信号が得られる受信信号処理部に対して設けられているキャプチャ処理部でキャプチャされた映像が、選択された番組信号に基づく映像に重畳される。
【発明の効果】
【０００９】
この発明によれば、嗜好性評価と盛り上がり判定の結果に基づき複数の番組信号の順位付けを行い、チャネル切り替え操作が行われたときは、チャネル切り替え操作毎に、複数の番組信号から順位付けの順序で番組信号が選択されて、選択された番組信号が出力される。このため、嗜好性の合った番組や盛り上がりを生じている番組のように視聴者が好むであろう番組を、チャネル切り替え操作時に優先して選択させることができるので、視聴者は好みの番組の選択を容易に行うことができる。
【発明を実施するための最良の形態】
【００１０】
以下、図を参照しながら、この発明の実施の一形態について説明する。図１は、受信装置例えばテレビジョン装置の構成を示している。
【００１１】
アンテナ１１で放送波を受信して得られた受信信号ＳRFは、受信装置２０の受信信号処理部に供給される。受信信号処理部は複数設けられており、番組の視聴中であっても、他のチャネルで放送されている番組の番組信号を得ることができるようになされている。例えば受信装置２０に「ｎ」個の受信信号処理部２１-1〜２１-nを設けるものとして、ｎチャネル数分の番組信号が同時に得られるようになされている。
【００１２】
受信信号処理部２１-1のチューナ部２１１は、受信信号ＳRFから予め設定されている放送コンテンツの周波数を選局する。また、チューナ部２１１は、選局を行って得た信号に対して復調処理や誤り訂正処理等を行い、トランスポートストリームＴＳを生成してデマルチプレクサ２１２に供給する。
【００１３】
デマルチプレクサ２１２は、トランスポートストリームＴＳを解析して、番組を視聴するために必要となる情報を分離する。例えば、デマルチプレクサ２１２は、トランスポートストリームＴＳのヘッダに含まれているパケット識別情報（ＰＩＤ：Packet Identifier）に基づいて、番組特定情報（ＰＳＩ：Program Specific Information）や番組配列情報（ＳＩ：Service Information）のパケットを分離する。さらに、デマルチプレクサ２１２は、番組特定情報のプログラムアソシエーションテーブル（ＰＡＴ：Program Association Table）やプログラムマップテーブル（ＰＭＴ：Program Map Table）に基づき、現在受信中の番組を構成する映像や音声およびデータ放送のパケットを分離して、分離したパケットから取り出した映像信号ＤＣvと音声信号ＤＣaをデコーダ部２１３に供給する。また、デマルチプレクサ２１２は、分離したパケットから取り出した番組配列情報等の信号やデータ放送の信号等をデータ信号ＤＣd-1として、後述する制御部３０に供給する。
【００１４】
デコーダ部２１３は、符号化されている映像信号ＤＣvや音声信号ＤＣaの復号処理を行い、番組信号である映像信号ＤＶ-1と音声信号ＤＡ-1を生成する。さらに、デコーダ部２１３は、生成した映像信号ＤＶ-1をキャプチャ処理部２２-1と盛り上がり判定部２３と信号選択部２４に供給する。また、デコーダ部２１３は、生成した音声信号ＤＡ-1を盛り上がり判定部２３と信号選択部２４に供給する。
【００１５】
キャプチャ処理部２２-1は、制御部３０から供給された制御信号ＣＴp-1に基づくタイミングで、番組信号に基づく映像のキャプチャ処理を行う。すなわち、制御信号ＣＴp-1に基づくタイミングで映像信号ＤＶ-1の取り込みを行い、取り込んだ信号をキャプチャ信号ＤＶp-1としてキャプチャメモリ２５に記憶させる。
【００１６】
受信信号処理部２１-2〜２１-nも受信信号処理部２１-1と同様に構成されており、それぞれ異なるチャネルを選局して、得られた映像信号ＤＶ-2〜ＤＶ-nおよび音声信号ＤＡ-2〜ＤＡ-nを盛り上がり判定部２３と信号選択部２４に供給する。また、受信信号処理部２１-2〜２１-nは、番組配列情報やデータ放送等を示すデータ信号ＤＣd-2〜ＤＣd-nを制御部３０に供給する。
【００１７】
キャプチャ処理部２２-2〜２２-nもキャプチャ処理部２２-1と同様に構成されており、各キャプチャ処理部２２-2〜２２-nで取り込んだ映像信号をキャプチャ信号ＤＶp-2〜ＤＶp-nとしてキャプチャメモリ２５に記憶させる。
【００１８】
盛り上がり判定部２３は、映像信号ＤＶ-1や音声信号ＤＡ-1を利用して、番組の盛り上がりの判定を行い、判定結果を示す盛り上がり判定信号ＥＤ-1を制御部３０に供給する。同様に、他のチャネルの番組についても、映像信号ＤＶ-2〜ＤＶ-nや音声信号ＤＡ-2〜ＤＡ-nを利用して、番組の盛り上がりの判定を行い、各判定結果を示す盛り上がり判定信号ＥＤ-2〜ＥＤ-nを制御部３０に供給する。
【００１９】
図２は、映像信号を用いて盛り上がりの判定を行う盛り上がり判定部の構成を例示している。領域分割部２３１は、映像信号ＤＶ-1をブロック毎の信号に分割する。例えば、１画面を図３に示すように１６ブロックに分割するものとして、映像信号ＤＶ-1から各ブロックＡＲa〜ＡＲpに位置する画素の信号を抽出することで、ブロック毎の信号ＤＢa〜ＤＢpを生成する。
【００２０】
特徴量算出部２３２は、信号ＤＢa〜ＤＢpを用いて、盛り上がりのシーンを判別するための特徴量をブロック毎に算出する。例えば、特徴量算出部２３２は、ブロック毎に輝度の平均を算出して、平均輝度値を特徴量ＥＶa〜ＥＶpとする。また、輝度だけでなく色合いを用いて特徴量を算出するものとしてもよい。例えば、肌色の領域の割合をブロック毎に求めて特徴量ＥＶa〜ＥＶpとする。
【００２１】
判定処理部２３３は、特徴量ＥＶa〜ＥＶpを用いて盛り上がりのシーンであるか否かの判定処理を行い、判定結果を示す判定信号ＥＤ-1を生成する。例えば、特徴量が平均輝度値を示す場合、判定処理部２３３は、平均輝度値が予め設定されたレベルを超えている継続時間の変動や、単位時間における平均輝度値の輝度増加方向の輝度レベル変化量等に関する変動をブロック毎に検出して、各ブロックの変動の合計値が大きいときには判定信号ＥＤ-1のレベルを大きく、合計値が小さいときには判定信号ＥＤ-1のレベルを小さくする。また、特徴量が肌色の領域の割合を示す場合、判定処理部２３３は、肌色領域の割合が予め設定されたレベルを超えている継続時間の変動や、単位時間における肌色領域の割合の増加方向のレベル変化量等に関する変動をブロック毎に検出して、継続時間やレベル変化量の変動をブロック毎に検出して、各ブロックの変動の合計値に基づいた判定信号ＥＤ-1を生成する。さらに、判定処理では、ブロック毎に重み付けを行うものとしてもよい。例えば、視聴者が注目する中央部分のブロックＡＲf，ＡＲg，ＡＲj，ＡＲkの変動を重視すれば、視聴者が注目する映像表示領域に基づいた盛り上がり判定を行うことができる。
【００２２】
図４は、音声信号を用いて盛り上がりの判定を行う盛り上がり判定部の構成を例示している。レベル検出部２３４は、音声信号ＤＡ-1の信号レベルを検出して、盛り上がりのシーンを判別するために用いる特徴量ＥＡvとする。
【００２３】
判定処理部２３５は、特徴量ＥＡvを用いて盛り上がりのシーンであるか否かの判定処理を行い、判定結果を示す判定信号ＥＤ-1を生成する。例えば、判定処理部２３５は、信号レベルが予め設定されたレベルを超えている継続時間の変動や、単位時間における信号レベルの音量増加方向のレベル変化量等に関する変動を検出して、変動が大きいときには判定信号ＥＤ-1のレベルを大きく、変動が小さいときには判定信号ＥＤ-1のレベルを小さくする。
【００２４】
図５は、音声信号を用いて盛り上がりの判定を行う盛り上がり判定部の他の構成を例示している。スペクトラム分析部２３６は、音声信号ＤＡ-1に対してスペクトラム分析を行い、周波数成分毎のパワーレベルを検出する。また、スペクトラム分析結果を、盛り上がり判定のための特徴量ＥＡsとする。
【００２５】
判定処理部２３７は、特徴量ＥＡsを用いて盛り上がりのシーンであるか否かの判定処理を行い、判定結果を示す判定信号ＥＤ-1を生成する。例えば拍手の音や歓声の音のスペクトラムを予め登録しておき、特徴量ＥＡsのスペクトラムが拍手の音や歓声の音のスペクトラム波形と相関があるか否かを判別する。さらに、相関があると判別されたときのパワーレベルに基づいて判定信号ＥＤ-1を生成する。すなわち、拍手の音や歓声の音のスペクトラム波形と相関があるときのパワーレベルが大きいときは盛り上がりとして、判定信号ＥＤ-1のレベルを大きくする。
【００２６】
なお、盛り上がり判定部２３は、特徴量ＥＶa〜ＥＶp，ＥＡv，ＥＡsのいずれかに基づいて盛り上がりの判定を行う場合に限られるものではなく、複数の特徴量を用いて判定を行うものとすれば、盛り上がりであるか否かを精度良く判定できる。例えば、野球番組で淡々とゲームが進んでいる場面であれば、場面の変化は少なくアナウンサーの話す音量は低く抑えられていると考えられ、ゲームが緊迫した場面になると、選手やベンチの様子を追う場面が増えることで場面の変化が増加し、またアナウンサーの音量は大きくなると考えられる。したがって、映像信号や音声信号によって、場面切り替わり等による輝度や色合いの変化量、出演者の会話や歓声等による音量の変化や周波数成分等の違いを判別することで、盛り上がりの判定を精度良く行うことができる。
【００２７】
このようにして、１つのチャネルの番組信号である映像信号ＤＶ-1や音声信号ＤＡ-1に基づいて、盛り上がりの判定を行い、判定結果を示す判定信号ＥＤ-1を制御部３０に供給する。さらに、他のチャネルの映像信号ＤＶ-2〜ＤＶ-nや音声信号ＤＡ-1〜ＤＡ-nを用いて同様に盛り上がりの判定を行い、判定信号ＥＤ-2〜ＥＤ-nを制御部３０に供給する。
【００２８】
また、盛り上がり判定部２３は、盛り上がりの判定を行った番組の番組情報に応じて判定動作を切り替えるものとしてもよい。例えば、お笑い番組では笑い声の音を重視した盛り上がり判定を行い、スポーツ番組では歓声の音を重視した盛り上がり判定を行う。このようにすれば、番組の内容に応じた盛り上がり判定を行うことができる。
【００２９】
信号選択部２４は、制御部３０からの制御信号ＣＴsaに基づき、視聴するチャネルの映像信号と音声信号の選択を行い、選択した映像信号ＤＶsを合成部２７に供給する。また、選択した音声信号ＤＡsを音声出力処理部２８に供給する。
【００３０】
キャプチャメモリ２５は、キャプチャ処理部２２-1〜２２-nによって取り込まれたキャプチャ信号ＤＶp-1〜ＤＶp-nを記憶する。またキャプチャメモリ２５は、制御部３０からの制御信号ＣＴsbに基づき、記憶している信号を読み出してキャプチャ信号ＤＶpsとして合成部２７に供給する。
【００３１】
オンスクリーン信号生成部２６は、制御部３０からのオンスクリーン制御信号ＣＴosに基づき、オンスクリーン表示信号Ｄosを生成して合成部２７に供給する。
【００３２】
合成部２７は、制御部３０からの制御信号ＣＴmixに基づき、映像信号ＤＶsに基づく映像上に、キャプチャメモリ２５から読み出したキャプチャ信号ＤＶpsに基づく映像や、オンスクリーン表示信号Ｄosに基づく映像を重畳されせる合成処理を行い、合成処理後の信号を映像出力信号Ｖoutとして出力する。
【００３３】
音声出力処理部２８は、信号選択部２４から供給された音声信号ＤＡsをアナログの音声信号に変換したのち、制御部３０から供給された制御信号ＣＴaに基づいて信号レベルの増幅を行い、増幅後の信号を音声出力信号Ａoutとして出力する。
【００３４】
制御部３０には、ユーザ操作に応じた操作信号ＰＳを生成するユーザインタフェース部３１が接続されている。ユーザインタフェース部３１は、リモートコントロール装置５０から送信された信号を受信するリモートコントロール信号受信部や操作キーで構成されている。ユーザインタフェース部３１やリモートコントロール装置５０には、操作キーとして、動作モード切り替えやチャネル切り替えおよび音量調整や表示する情報等の設定を行うための種々の操作キーが設けられており、キー操作に応じた操作信号ＰＳを生成して制御部３０に供給する。
【００３５】
図６は、リモートコントロール装置５０の外観を例示したものである。図６Ａに示すリモートコントロール装置５０では、操作キーとして種々の機能等が割り当てられたボタンが設けられている。例えば電源のオン／オフを行うための機能が割り当てられた電源ボタン５１１、チャネルが割り当てられた数字ボタン群５１２、入力切替ボタン５１３、チャネルアップ／ダウン機能が割り当てられたチャネルボタン５１４、音量のアップ／ダウン機能が割り当てられた音量ボタン５１５が設けられている。また、メニュー表示を行わせるためのＭＥＮＵボタン５１６、メニュー表示がなされたとき項目の選択や切り替え等を行うために用いる上下左右ボタン５１７とＯＫボタン５１８が設けられている。さらに、リモートコントロール装置５０には、チャネル切り替えを行ったとき、視聴者が好むであろう番組の順序にチャネル切り替えを行うモード（以下「お好み番組優先モード」という）に設定するための設定ボタン５１９が設けられている。また、図６Ｂに示すように、お好み番組優先モード用のチャネルボタン５２０を設けるものとしても良い。さらに、ＭＥＮＵボタン５１６や上下左右ボタン５１７およびＯＫボタン５１８の操作に応じてメニュー表示を行い、このメニュー表示によってお好み番組優先モードを選択できるようにしても良い。
【００３６】
また、制御部３０には、メモリ３２や計時部３３が接続されている。メモリ３２は、視聴者によって設定された種々の設定情報や受信信号処理部２１-1〜２１-nから供給されたデータ信号ＤＣd-1〜ＤＣd-nに基づく情報、視聴者がどのような番組を視聴したかを示す視聴履歴等を記憶するためのものである。また、計時部３３は、現在時刻を示す時刻情報ＴＭを制御部３０に供給する。
【００３７】
制御部３０は、マイクロコンピュータ等を用いて構成されており、操作信号ＰＳに基づいて、上述のような種々の制御信号を生成することで、受信装置２０が視聴者の操作に応じた動作となるように制御する。また、制御部３０は、設定された種々の設定情報やデータ信号ＤＣd-1〜ＤＣd-nに基づく情報および視聴履歴等をメモリ３２に記憶させて、この記憶されている情報に基づいて動作設定や番組表およびデータ放送コンテンツ等の情報表示を行う。
【００３８】
さらに、制御部３０は、メモリ３２に記憶されている履歴情報や時刻情報ＴＭが示す時刻に応じた番組配列情報に基づいて、受信信号処理部２１-1〜２１-nで受信されている番組に対する嗜好性評価を行い、この嗜好性評価結果と盛り上がり判定部２３から供給された判定信号ＥＤ-1〜ＥＤ-nに基づき、視聴者が好むであろう番組の順序に順位付けを行う。ここで、お好み番組優先モードが選択されているときにチャネル切り替え操作が行われた場合、順位付けの高い番組の番組信号を信号選択部２４で選択させる。また、制御部３０は、信号選択部２４で選択する番組信号を得る受信信号処理部に対して設けられているキャプチャ処理部でキャプチャされた映像を、キャプチャメモリ２５から合成部２７に供給させる。例えば、信号選択部２４において番組信号として映像信号ＤＶ-2と音声信号ＤＡ-2を選択する場合、映像信号ＤＶ-2と音声信号ＤＡ-2を得る受信信号処理部２１-2に対して設けられているキャプチャ処理部２２-2でキャプチャされた映像信号ＤＶp-2を、キャプチャメモリ２５から読み出して、キャプチャ信号ＤＶpsとして合成部２７に供給させる。
【００３９】
図７は、受信装置の動作を示すフローチャートである。ステップＳＴ１で制御部３０は、番組配列情報を取得してステップＳＴ２に進む。
【００４０】
ステップＳＴ２で制御部３０は、番組選択リストを作成・更新処理を行う。番組選択リストは、視聴可能な番組の番組情報と、嗜好性評価の結果すなわち番組に対して視聴者の好みがどの程度であるかを示す番組評価値、および番組評価値と盛り上がり判定結果に基づいて算出した判定基準値と、判定基準値に基づいた順位付け結果を有している。
【００４１】
図８は、番組選択リストを例示したものである。なお、説明を簡単とするため、例えばチャネル番号「ＣＨ１」〜「ＣＨ５」の番組が受信可能とされている場合について説明する。また、番組選択リストでは、番組情報として番組のジャンルや番組のキーワードを用いた場合を示している。
【００４２】
番組選択リストの作成・更新処理において、制御部３０は、番組情報毎に個別評価値を設定して、チャネル番号毎に各個別評価値を合計して視聴者の好みがどの程度であるかを示す番組評価値を求める。なお、図８では、嗜好性評価の評価結果である番組評価値は、例えば好みに合う番組ほど評価値が高くなるように設定している。
【００４３】
ここで、番組情報として番組のジャンルや番組のキーワードを用いた場合、視聴履歴や視聴者の設定情報に基づきジャンルに対する個別評価値とキーワードに対する個別評価値の設定を行い、視聴の割合の高い番組のジャンルや視聴した番組に多く含まれていたキーワード、視聴者が好みであると指定したジャンルやキーワードの個別評価値は高くする。また、視聴の割合の低いジャンルや、視聴者が好みであると指定していないジャンルやキーワードの個別評価値は低くする。さらに、設定した個別評価値を加算して、番組評価値を算出する。例えば、図８では、チャネル番号「ＣＨ１」の番組のジャンルが「ニュース」でキーワードが「マラソン」である場合、視聴履歴や視聴者の設定情報に応じてジャンルの個別評価値を「２」、キーワードの個別評価値を「３」に設定した場合を示しており、チャネル番号「ＣＨ１」の番組の評価値は「５」となる。また、チャネル番号「ＣＨ２」〜「ＣＨ５」についても、番組毎に番組評価値を設定する。
【００４４】
また、盛り上がり状態の判定が行われる前の判定信号の初期値は「１」として、この判定信号と番組評価値を乗算して判定基準値を算出する。さらに、判定基準値に基づいて番組の順位付けを行う。例えば、図８に示す場合、判定基準値が最も大きい番組はチャネル番号「ＣＨ２」の番組であることから、チャネル番号「ＣＨ２」の番組を最上位の順位である「１」とする。次に判定基準値が大きい番組はチャネル番号「ＣＨ３」の番組であることから、チャネル番号「ＣＨ３」の番組を次の順位である「２」とする。以下同様にして、判定基準値に基づき視聴可能な番組に対して順位を設定する。さらに、いずれかのチャネルで番組の切り替えが行われたときには、番組情報や番組評価値の更新を行う。
【００４５】
ステップＳＴ３で制御部３０は、番組のスナップショット画像が取得されているか否かを判別する。スナップショット画像とは、視聴者がどのような番組であるかを容易に識別可能とするための画像であり、例えば番組の冒頭部分をキャプチャした画像とする。ここで、スナップショット画像が番組選択リストの各番組について取得されているときにはステップＳＴ５に進む。また、スナップショット画像が取得されていない番組が存在するときにはステップＳＴ４に進む。
【００４６】
ステップＳＴ４で制御部３０は、スナップショット画像が取得されていない番組のチャネルに対応したキャプチャ処理部を制御して、番組の映像をキャプチャして、スナップショット画像としてキャプチャメモリ２５に記憶させてステップＳＴ５に進む。なお、番組の途中で受信装置の動作が開始されてキャプチャ処理が行われると、番組の冒頭部分のスナップショット画像を得ることができない。このため、番組配列情報に基づいて番組の切り替えタイミングを判別して、受信装置が例えばスタンバイモードとされていても、番組切り替え時に受信信号処理部とキャプチャ処理部を動作させて、番組の冒頭部分の映像をスナップショット画像としてキャプチャメモリ２５に記憶させるものとしてもよい。
【００４７】
ステップＳＴ５で制御部３０は、盛り上がり判定結果を示す判定信号を取得してステップＳＴ６に進む。
【００４８】
ステップＳＴ６で制御部３０は、判定信号のレベル変化が生じたか否かを判別する。制御部３０は、ステップＳＴ５で取得した判定信号のレベルと番組選択リストにおける判定信号のレベルが異なるときはステップＳＴ７に進む。また、判定信号のレベルが一致しているときはステップＳＴ８に進む。
【００４９】
ステップＳＴ７で制御部３０は、番組選択リストの更新処理を行う。例えば、チャネル番号「ＣＨ１」「ＣＨ４」の番組で盛り上がりを生じて、チャネル番号「ＣＨ１」の番組に対する判定信号のレベルが「５」、チャネル番号「ＣＨ４」の番組に対する判定信号のレベルが「２」となったときは、図８に示す番組選択リストに対して更新処理を行い図９に示す番組選択リストとする。すなわち、チャネル番号「ＣＨ１」「ＣＨ４」の判定信号と判定基準値の更新を行い、更新後の判定基準値に基づいた順位付けを行って、チャネル番号「ＣＨ１」を順位「１」、チャネル番号「ＣＨ４」を順位「２」、チャネル番号「ＣＨ２」を順位「３」、チャネル番号「ＣＨ３」を順位「４」に変更する。
【００５０】
ステップＳＴ８で制御部３０は、チャネル切り替え操作が行われたか否かを判別する。ここで、制御部３０は、お好み番組優先モードでチャネル切り替え操作が行われたことを操作信号ＰＳによって判別したときステップＳＴ９に進み、チャネル切り替え操作が行われていないときはステップＳＴ１１に進む。
【００５１】
例えば、設定ボタン５１９が操作されてお好み番組優先モードが選択された後にチャネルボタン５１４が操作された場合、あるいはお好み番組優先モード用のチャネルボタン５２０が操作された場合はステップＳＴ９に進む。また、チャネルボタン操作が行われていないときはステップＳＴ１１に進む。
【００５２】
ステップＳＴ９で制御部３０は、番組選択リストに基づいたチャネル切り替え処理を行う。例えば図９に示す番組選択リストが生成されているときにチャネルボタンが操作された場合、順位が最も高いチャネル番号「ＣＨ１」の番組信号、すなわち映像信号ＤＶ-1と音声信号ＤＡ-1を信号選択部２４で選択して、映像信号ＤＶsと音声信号ＤＡsとする。
【００５３】
また、チャネル番号「ＣＨ１」の選択が完了したときは、チャネル番号「ＣＨ１」が選択済みであることを示す情報を記憶して、次にチャネル切り替え操作が行われたときは、選択されていないチャネル番号から順位の最も高いチャネル番号の番組を選択させる。
【００５４】
ステップＳＴ１０で制御部３０は映像合成処理を行う。この映像合成処理では、キャプチャメモリ２５やオンスクリーン信号生成部２６の動作を制御して、選択した番組の映像を表示させるだけでなく、選択した番組のスナップショット画像や、番組評価値と判定信号のレベルを示すオンスクリーン表示を１画面に合成して表示させる。
【００５５】
図１０は、チャネル切り替え操作を行ったときの表示画面を例示している。ここで、チャネル番号「ＣＨ１」の番組を選択したとき、制御部３０は、キャプチャメモリ２５からチャネル番号「ＣＨ１」の番組のスナップショット画像を示すキャプチャ信号ＤＶp-1を読み出して、キャプチャ信号ＤＶpsとして合成部２７に供給させる。このため、映像信号ＤＶs（＝ＤＶ-1）に基づく映像ＧＣに、表示されている番組のスナップショット画像ＧＳを重畳させることができる。また、制御部３０は、番組選択リストの番組評価値と判定信号のレベルに基づきオンスクリーン信号生成部２６の動作を制御して、番組評価値と判定信号のレベルに基づくオンスクリーン表示信号Ｄosを合成部２７に供給させる。このため、番組評価値に基づくオンスクリーン画像、すなわち視聴者の嗜好に基づいたお奨めレベルの画像ＧＨや、判定信号のレベルに基づくオンスクリーン画像、すなわち盛り上がり基づいたお奨めレベルの画像ＧＥを、映像信号ＤＶsに基づく映像ＧＣに重畳させることができる。また、時刻情報ＴＭや番組配列情報を利用して、番組のタイトル画像ＧＴを、映像信号ＤＶsに基づく映像ＧＣに重畳させることができる。なお、図１０において、画像ＧＨ，ＧＥは、番組評価値や判定信号のレベルを五段階で表示するものとした場合を示している。
【００５６】
このように、スナップショット画像ＧＳやタイトル画像ＧＴを表示させることで、視聴者は、チャネル切り替え後の番組がどのような番組であるか容易に把握することができる。また、お奨めレベルの画像ＧＨ，ＧＥを表示させることで、視聴者はチャネル切り替え後の番組が好みの番組であるかあるいは盛り上がり状態であるかを直感的に判別できる。
【００５７】
ステップＳＴ１１で制御部３０は、チャネル切り替え操作から所定時間が経過したか否かを判別する。ここで、制御部３０は、所定時間が経過しているときはステップＳＴ１２に進み、所定時間が経過していないときはステップＳＴ８に戻る。
【００５８】
ステップＳＴ１２で制御部３０は、チャネル切り替え後の番組を視聴する番組として、映像合成処理を終了したのちステップＳＴ１３に進む。例えば、選択した番組信号に基づく映像表示のみを行うものとしてステップＳＴ１３に進む。
【００５９】
ステップＳＴ１３で制御部３０は、新たな番組が開始したか否かを判別する。制御部３０は、時刻情報ＴＭと番組配列情報に基づき番組の切り替えが行われたか否かを判別して、番組の切り替えが行われていないときはステップＳＴ５に戻る。また、番組の切り替えが行われたときにはステップＳＴ２に戻り、新たな番組の番組情報を用いて番組選択リストの更新を行う。例えばチャネル番号「ＣＨ１」の番組が「ニュース」から「アニメ」に切り替わるときは、図１１に示すように、番組選択リストにおけるチャネル番号「ＣＨ１」の番組情報や番組評価値の更新を行う。
【００６０】
このように、受信装置は、視聴者の嗜好だけでなく、番組の盛り上がり状況に応じて、視聴可能な番組の順位付けを行い、チャネル切り替え操作が行われたときには、順位付けの順序で番組の選択が行われる。このため、嗜好性の合った番組や盛り上がりを生じている番組のように視聴者が好むであろう番組が、チャネル切り替え操作時に優先して選択されるので、視聴者は好みの番組の選択を容易に行うことができる。また、受信装置は、盛り上がり状態の判定を継続して行うことにより、番組の内容が時々刻々と変化しても内容に応じて順位付けを変更できる。このため、視聴者が興味を持っていると考えられる番組でもつまらないと感じられる場面では優先順位が下かり、逆にあまり興味を持っていなくても盛り上がっている場面では優先順位が高くなり、リアルタイムで視聴者が好むであろう番組を優先して選択可能とすることができる。さらに、番組の盛り上がりの情報をいかに反映させるか、例えばどの程度の時間の平均値を用いるかといったパラメータは、メニューなどで視聴者が設定できるようにすれば、各視聴者の希望に添った選局手法を提供することが可能となる。
【００６１】
また、受信装置は、受信可能なチャネル数分だけ受信信号処理部やキャプチャ処理部を設けるものに限られるものではない。例えば、視聴履歴と番組配列情報から、視聴者の嗜好に合った番組の選択を行い、視聴している番組の信号を処理している受信信号処理部とは異なる受信信号処理部によって、嗜好に合うものとして選択した番組の番組信号を得るようにしてもよい。この場合、選択した番組に対して盛り上がり判別を行い、この判別結果と番組評価値に基づいて順位付けを行い、この順位付けに基づいてチャネル切り替えを行う。また、視聴している番組の信号を処理している受信信号処理部とは異なる受信信号処理部において、受信するチャネルを切り替えて受信可能な全ての番組について盛り上がり判別を行う処理を定期的に行い、次に盛り上がり判別が行われるまでの期間期間中は、順位付けの高い番組の番組信号を信号選択部２４に供給するようにしてもよい。
【００６２】
ところで、お好み番組優先モードでチャネル切り替え操作を行うと、チャネル番号がランダムに切り替わる場合があるため、例えばザッピングを行う前に視聴していた番組が判らなくなってしまうおそれがある。また、お好み番組優先モードでは、順位付けの高い番組から順に選択するものであり、順位付けの低い番組から選択する機能は不要である。したがって、チャネルボタンでアップ操作が行われたときには、順位付けの高い番組から順に選択を行い、チャネルボタンでダウン操作が行われたときには、順位付けに基づいたチャネル切り替え操作前の番組に戻すように処理を行うものとする。このようにすれば、チャネルボタンでアップ操作を行ってザッピングを行っても、チャネルボタンでダウン操作を行うものとすれば、簡単にザッピング前の番組に戻すことができる。
【図面の簡単な説明】
【００６３】
【図１】受信装置の構成を示す図である。
【図２】盛り上がり判定部の構成（映像信号を用いた場合）を示す図である。
【図３】領域分割を説明するための図である。
【図４】盛り上がり判定部の構成（音声信号を用いた場合）を示す図である。
【図５】盛り上がり判定部の他の構成（音声信号を用いた場合）を示す図である。
【図６】リモートコントロール装置の外観を示す図である。
【図７】受信装置の動作を示すフローチャートである。
【図８】番組選択リストを示す図である。
【図９】番組選択リスト（更新後）を示す図である。
【図１０】チャネル切り替え操作が行われたときの表示画面を示す図である。
【図１１】番組選択リスト（番組切り替わり後）を示す図である。
【符号の説明】
【００６４】
１１・・・アンテナ、２０・・・受信装置、２１-1〜２１-n・・・受信信号処理部、２２-1〜２２-n・・・キャプチャ処理部、２３・・・盛り上がり判定部、２４・・・信号選択部、２５・・・キャプチャメモリ、２６・・・オンスクリーン信号生成部、２７・・・合成部、２８・・・音声出力処理部、３０・・・制御部、３１・・・ユーザインタフェース部、３２・・・メモリ、３３・・・計時部、５０・・・リモートコントロール装置、２１１・・・チューナ部、２１２・・・デマルチプレクサ、２１３・・・デコーダ部、２３３，２３５，２３７・・・判定処理部、２３１・・・領域分割部、２３２・・・特徴量算出部、２３４・・・レベル検出部、２３６・・・スペクトラム分析部、５１１・・・電源ボタン、５１２・・・数字ボタン群、５１３・・・入力切替ボタン、５１４，５２０・・・チャネルボタン、５１５・・・音量ボタン、５１６・・・ＭＥＮＵボタン、５１７・・・上下左右ボタン、５１８・・・ＯＫボタン、５１９・・・設定ボタン
【図１】
2007325117.tif 000003
【図２】
2007325117.tif 000004
【図３】
2007325117.tif 000005
【図４】
2007325117.tif 000006
【図５】
2007325117.tif 000007
【図６】
2007325117.tif 000008
【図７】
2007325117.tif 000009
【図８】
2007325117.tif 000010
【図９】
2007325117.tif 000011
【図１０】
2007325117.tif 000012
【図１１】
2007325117.tif 000013